(57)【要約】【課題】広告内容を効率良く伝えることができるようにすること。【解決手段】Ｗｅｂページ１２を送信するＷｅｂサイトサーバ４と、前記Ｗｅｂサイトサーバ４から受信した前記Ｗｅｂページ１２を表示するクライアント装置６と、を備え、前記Ｗｅｂページ１２は、複数の広告枠１８を含み、それぞれの前記広告枠１８の中に広告コンテンツ１０が表示される広告システム１において、前記広告コンテンツ１０のそれぞれは、ページ単位で表示される複数の広告ページ２１を含み、前記クライアント装置６に対する閲覧者３の操作にしたがって前記広告枠１８の中で前記広告ページ２１がめくられるコンテンツである。【選択図】図１０
2019028548.tif 000002
【特許請求の範囲】
【請求項１】
Ｗｅｂページを送信するサーバ装置と、
前記サーバ装置から受信した前記Ｗｅｂページを表示するクライアント装置と、を備え、
前記Ｗｅｂページは、複数の広告枠を含み、それぞれの前記広告枠の中に広告コンテンツが表示される広告システムにおいて、
前記広告コンテンツのそれぞれは、
ページ単位で表示される複数の広告ページを含み、前記クライアント装置に対するユーザの操作にしたがって前記広告枠の中で前記広告ページがめくられるコンテンツである
ことを特徴とする広告システム。
【請求項２】
前記広告コンテンツのそれぞれは、
前記ユーザの操作の後、前記広告ページがめくられた状態で表示が継続されるコンテンツである
ことを特徴とする請求項１に記載の広告システム。
【請求項３】
前記広告コンテンツは、
アンケートを実施するアンケートページを含み、
前記アンケートに対する回答結果をアンケート集計装置へ前記クライアント装置に送信させるプログラムを含むコンテンツである
ことを特徴とする請求項１または２に記載の広告システム。
【請求項４】
前記広告コンテンツは、
前記クライアント装置に広告効果を計測させ、計測結果を広告効果集計装置へ送信させるプログラムを含むコンテンツである
ことを特徴とする請求項１〜３のいずれかに記載の広告システム。
【請求項５】
前記広告コンテンツは、
１ページずつ前記広告ページを前記広告枠の中で表示するページ単位表示、
２ページ分の前記広告ページを前記広告枠の中で表示する見開き表示、及び
複数の前記広告ページが連結されて前記広告枠の中でスクロールするスクロール表示を、ユーザの操作に応じて前記クライアント装置に切り替えさせるプログラムを含むコンテンツである
ことを特徴とする請求項１〜４のいずれかに記載の広告システム。
【請求項６】
前記広告コンテンツは、
前記クライアント装置に前記広告ページのめくり方向を変えさせるプログラムを含むコンテンツである、
ことを特徴とする請求項１〜５のいずれかに記載の広告システム。
【請求項７】
前記広告コンテンツを生成する広告コンテンツ生成手段を備え、
前記広告コンテンツ生成手段は、
前記広告ページのアスペクト比が異なる広告コンテンツを生成可能である
ことを特徴とする請求項１〜６のいずれかに記載の広告システム。
【請求項８】
前記広告コンテンツを記憶する広告コンテンツ管理サーバを備え、
前記クライアント装置は、
前記広告コンテンツを前記広告コンテンツ管理サーバから通信によって取得し、前記広告枠の中に表示する
ことを特徴とする請求項１〜７のいずれかに記載の広告システム。
【請求項９】
前記クライアント装置に対するユーザの操作にしたがって、前記クライアント装置に表示されている前記広告コンテンツを前記クライアント装置、又は前記広告コンテンツ管理サーバから取得して保存する保存サーバを備え、
前記保存サーバは、
前記クライアント装置の要求に応じて、前記広告コンテンツを前記クライアント装置に送信し、前記クライアント装置が前記広告コンテンツを表示可能にする
ことを特徴とする請求項１〜８のいずれかに記載の広告システム。
【請求項１０】
前記保存サーバに通信により指令を与え、前記保存サーバに前記広告コンテンツを削除させる削除手段を備える
ことを特徴とする請求項９に記載の広告システム。
【請求項１１】
複数の広告枠を含み、それぞれの前記広告枠の中に広告コンテンツが表示されるＷｅｂページを、当該Ｗｅｂページを表示するクライアント装置へ送信するサーバ装置において、
前記広告コンテンツのそれぞれは、
ページ単位で表示される複数の広告ページを含み、前記クライアント装置に対するユーザの操作にしたがって前記広告枠の中で前記広告ページがめくられるコンテンツである
ことを特徴とするサーバ装置。
【請求項１２】
複数の広告枠を含み、それぞれの前記広告枠の中に広告コンテンツが表示されるＷｅｂページをクライアント装置へサーバ装置が送信し、
前記クライアント装置が前記Ｗｅｂページを表示する広告方法において、
前記広告コンテンツのそれぞれは、
ページ単位で表示される複数の広告ページを含み、前記クライアント装置に対するユーザの操作にしたがって前記広告枠の中で前記広告ページがめくられるコンテンツである
ことを特徴とする広告方法。
【発明の詳細な説明】
【技術分野】
【０００１】
本発明は、インターネットを利用した広告技術に関する。
【背景技術】
【０００２】
インターネットを利用した広告配信技術として、例えばニューストピック等のメインコンテンツを表示するＷｅｂページに広告枠を設け、この広告枠に企業や商品等に関する広告コンテンツを表示する技術が知られている（例えば、特許文献１〜６参照）。
【０００３】
また広告コンテンツがクリック操作やタッチ操作された事をトリガーとして、予め設定されたリンク先のＷｅｂページに遷移し、或いはポップアップ表示する技術も知られている。この技術によれば、広告枠の大きさに制限されずに、リンク先の当該Ｗｅｂページにおいて、より多くの広告内容を閲覧者に伝えることができる。
【先行技術文献】
【特許文献】
【０００４】
【特許文献１】特開２０１６−２１０９４号公報
【特許文献２】国際公開第２０１４／１５５６８３号
【特許文献３】特開２０１６−９５０７号公報
【特許文献４】特開２０１７−４５１６５号公報
【特許文献５】特開２０１６−６９９０号公報
【特許文献６】特開２０１６−１７７８１１号公報
【発明の概要】
【発明が解決しようとする課題】
【０００５】
しかしながら、Ｗｅｂページに複数の広告枠が設けられ、それぞれの広告枠に広告コンテンツが表示されている場合、従来の技術では、次のような問題がある。
すなわち、閲覧対象のＷｅｂページがリンク先のＷｅｂページに変わってしまうので、Ｗｅｂページの他の広告コンテンツについては閲覧の機会が損なわれる、という問題である。
一般に、Ｗｅｂページに配置される広告枠は、閲覧者に意識され易い位置や大きさのものほど価値が高く設定される。しかしながら、価値が高く設定された広告枠であっても、他の広告コンテンツによって閲覧対象のＷｅｂページが変わってしまっては、当該広告枠の広告コンテンツは価値通りの広告効果が期待できない。
【０００６】
また、近年のセキュリティ意識の向上により、他のＷｅｂページへの遷移やポップアップによる表示が閲覧者に好まれない傾向が強いため、閲覧者を他のＷｅｂページに誘導できないことが多々あり、十分な広告効果が期待できない。
そこで、他のＷｅｂページを表示するのではなく、Ｗｅｂページの広告枠の中において、例えば複数枚の静止画像を自動スクロール表示したり動画を表示したりすることで、広告枠の中の表示を時々刻々と変え、限られた大きさの広告枠の中で、より多くの広告内容を伝える、といった事が行われている。しかしながら、閲覧者の意思に関係無く表示が切り替わるため、閲覧者が広告内容を把握する前に表示が切り替わってしまい、広告内容を閲覧者に十分に伝えることができない、という問題がある。
【０００７】
本発明は、広告内容を効率良く伝えることができる広告システム、サーバ装置、及び広告方法を提供することを目的とする。
【課題を解決するための手段】
【０００８】
本発明は、Ｗｅｂページを送信するサーバ装置と、前記サーバ装置から受信した前記Ｗｅｂページを表示するクライアント装置と、を備え、前記Ｗｅｂページは、複数の広告枠を含み、それぞれの前記広告枠の中に広告コンテンツが表示される広告システムにおいて、前記広告コンテンツのそれぞれは、ページ単位で表示される複数の広告ページを含み、前記クライアント装置に対するユーザの操作にしたがって前記広告枠の中で前記広告ページがめくられるコンテンツであることを特徴とする。
【０００９】
本発明は、上記広告システムにおいて、前記広告コンテンツのそれぞれは、前記ユーザの操作の後、前記広告ページがめくられた状態で表示が継続されるコンテンツであることを特徴とする。
【００１０】
本発明は、上記広告システムにおいて、前記広告コンテンツは、アンケートを実施するアンケートページを含み、前記アンケートに対する回答結果をアンケート集計装置へ前記クライアント装置に送信させるプログラムを含むコンテンツであることを特徴とする。
【００１１】
本発明は、上記広告システムにおいて、前記広告コンテンツは、前記クライアント装置に広告効果を計測させ、計測結果を広告効果集計装置へ送信させるプログラムを含むコンテンツであることを特徴とする。
【００１２】
本発明は、上記広告システムにおいて、前記広告コンテンツは、１ページずつ前記広告ページを前記広告枠の中で表示するページ単位表示、２ページ分の前記広告ページを前記広告枠の中で表示する見開き表示、及び複数の前記広告ページが連結されて前記広告枠の中でスクロールするスクロール表示を、ユーザの操作に応じて前記クライアント装置に切り替えさせるプログラムを含むコンテンツであることを特徴とする。
【００１３】
本発明は、上記広告システムにおいて、前記広告コンテンツは、前記クライアント装置に前記広告ページのめくり方向を変えさせるプログラムを含むコンテンツである、ことを特徴とする。
【００１４】
本発明は、上記広告システムにおいて、前記広告コンテンツを生成する広告コンテンツ生成手段を備え、前記広告コンテンツ生成手段は、前記広告ページのアスペクト比が異なる広告コンテンツを生成可能であることを特徴とする。
【００１５】
本発明は、上記広告システムにおいて、前記広告コンテンツを記憶する広告コンテンツ管理サーバを備え、前記クライアント装置は、前記広告コンテンツを前記広告コンテンツ管理サーバから通信によって取得し、前記広告枠の中に表示することを特徴とする。
【００１６】
本発明は、上記広告システムにおいて、前記クライアント装置に対するユーザの操作にしたがって、前記クライアント装置に表示されている前記広告コンテンツを前記クライアント装置、又は前記広告コンテンツ管理サーバから取得して保存する保存サーバを備え、前記保存サーバは、前記クライアント装置の要求に応じて、前記広告コンテンツを前記クライアント装置に送信し、前記クライアント装置が前記広告コンテンツを表示可能にすることを特徴とする。
【００１７】
本発明は、上記広告システムにおいて、前記保存サーバに通信により指令を与え、前記保存サーバに前記広告コンテンツを削除させる削除手段を備えることを特徴とする。
【００１８】
本発明は、複数の広告枠を含み、それぞれの前記広告枠の中に広告コンテンツが表示されるＷｅｂページを、当該Ｗｅｂページを表示するクライアント装置へ送信するサーバ装置において、前記広告コンテンツのそれぞれは、ページ単位で表示される複数の広告ページを含み、前記クライアント装置に対するユーザの操作にしたがって前記広告枠の中で前記広告ページがめくられるコンテンツであることを特徴とする。
【００１９】
本発明は、複数の広告枠を含み、それぞれの前記広告枠の中に広告コンテンツが表示されるＷｅｂページをクライアント装置へサーバ装置が送信し、前記クライアント装置が前記Ｗｅｂページを表示する広告方法において、前記広告コンテンツのそれぞれは、ページ単位で表示される複数の広告ページを含み、前記クライアント装置に対するユーザ操作にしたがって前記広告枠の中で前記広告ページがめくられるコンテンツであることを特徴とする。
【発明の効果】
【００２０】
広告内容を効率良く伝えることができる。
【図面の簡単な説明】
【００２１】
【図１】図１は、本発明の実施形態に係る広告システムの構成図である。
【図２】図２は、広告コンテンツを含むＷｅｂページの構成を模式的に示す図である。
【図３】図３は、ブック型広告を模式的に示す図である。
【図４】図４は、広告枠の中でのブック型広告の表示例を示す拡大図である。
【図５】図５は、設定画面の一例を示す図である。
【図６】図６は、ブック型広告である広告コンテンツのデータ構成を模式的に示す図である。
【図７】図７は、広告コンテンツ管理サーバの機能的構成を示すブロック図である。
【図８】図８は、広告システムの動作説明図である。
【図９】図９は、Ｗｅｂページの表示例を示す図である。
【図１０】図１０は、Ｗｅｂページの表示例を示す図である。
【図１１】図１１は、Ｗｅｂページの表示例を示す図である。
【図１２】図１２は、本発明の応用例に係る広告システムの構成図である。
【図１３】図１３は、ブック型広告コレクションページの一例を示す図である。
【発明を実施するための形態】
【００２２】
以下、図面を参照して本発明の実施形態について説明する。
図１は、本実施形態に係る広告システム１の構成図である。
広告システム１は、広告コンテンツ管理サーバ２と、Ｗｅｂサイトサーバ４と、複数のクライアント装置６と、を備え、それぞれが通信ネットワーク８に相互に通信可能に接続されている。通信ネットワーク８は、例えばインターネットなどのデータ通信回線である。
【００２３】
広告コンテンツ管理サーバ２は、広告コンテンツ１０を管理するサーバ装置（サーバコンピュータである。広告コンテンツ１０は、広告情報を含むデジタルコンテンツである。広告情報は、広告主が閲覧者３に宣伝する内容（広告内容）の情報である。
【００２４】
Ｗｅｂサイトサーバ４は、Ｗｅｂサイトの運営者によって管理されるサーバ装置であり、記憶部５と、Ｗｅｂサーバ部７を備える。記憶部５は、Ｗｅｂページ１２を予め格納する。Ｗｅｂサーバ部７は、Ｗｅｂサーバ機能を実現するものであり、クライアント装置６の要求に応じてＷｅｂページ１２をクライアント装置６に送信する。
Ｗｅｂサイトは、１又は複数のＷｅｂページ１２を備え、少なくとも１以上のＷｅｂページ１２では、複数の広告コンテンツ１０が表示される。これにより、Ｗｅｂサイトにおいて、これらの広告コンテンツ１０を周知する場が広告主に提供される。なお、Ｗｅｂページ１２に表示される各広告コンテンツ１０の広告主は、同一でも異っていてもよい。
【００２５】
クライアント装置６は、閲覧者３がＷｅｂページ１２の閲覧のために使用する情報処理装置であり、フラットパネルディスプレイ等の表示部１４と、Ｗｅｂブラウザ実行部１６と、を備える。
Ｗｅｂブラウザ実行部１６は、Ｗｅｂページ１２を閲覧する機能を有し、ユーザである閲覧者３の操作に基づいてＷｅｂページ１２をＷｅｂサイトサーバ４から受信し、Ｗｅｂページ１２を表示部１４に表示する。
【００２６】
クライアント装置６には、各種の情報処理を実行可能な情報処理プロセッサー（例えばＣＰＵやＭＰＵ）を備えた装置が用いられ、例えばパーソナルコンピュータやスマートフォン、タブレット端末、ＩｏＴ（Internet of Things）デバイスなどが好適に用いられる。
Ｗｅｂページ１２の閲覧機能を提供するアプリケーションプログラムを情報処理プロセッサが実行することで、当該情報処理プロセッサが上記Ｗｅｂブラウザ実行部１６として機能する。
【００２７】
図２は、広告コンテンツ１０を含むＷｅｂページ１２の構成を模式的に示す図である。
同図に示すように、Ｗｅｂページ１２は、１又は複数（図示例では１つ）のメインコンテンツ表示領域１７と、少なくとも２つ以上の複数（図示例では４つ）の広告枠１８と、を含む。
メインコンテンツ表示領域１７は、メインコンテンツ１４を表示する領域である。メインコンテンツ１４は、Ｗｅｂサイトのサイト運営者がＷｅｂページ１２を通じて閲覧者３に提供する主たる情報やサービスを含むコンテンツデータである。
Ｗｅｂサイトがポータルサイトである場合、メインコンテンツ１４が提供する情報、及びサービスとして次のようなものがある。例えば情報には、ニュースや天気などの各種トピックがあり、サービスには、「Ｗｅｂ検索サービス」や「路線検索サービス」、「インターネットオークション」、「ＳＮＳ」等のサービスがある。
なお、メインコンテンツ１４が当該Ｗｅｂページ１２を通じてサービスを提供する代わりに、このサービスを提供する他のＷｅｂページ１２にリンクされたアイコンやアンカーテキストを表示してもよい。
【００２８】
広告枠１８は、メインコンテンツ表示領域１７と独立して設けられ、広告コンテンツ１０を表示する領域である。この広告枠１８の枠線は、可視と不可視のいずれでもよい。Ｗｅｂページ１２の文書データには、広告枠１８ごとに広告コンテンツ参照情報１９が予め記述されている。
広告コンテンツ参照情報１９は、広告枠１８に表示する広告コンテンツ１０を広告コンテンツ管理サーバ２からクライアント装置６に取得させるための情報であり、広告コンテンツ管理サーバ２のアドレス情報、広告コンテンツ１０を一意に特定する識別情報である広告コンテンツＩＤ３４Ａ（図６参照）等を含む。
クライアント装置６は、Ｗｅｂサイトサーバ４からＷｅｂページ１２を受信すると、広告コンテンツ参照情報１９に基づいて広告コンテンツ管理サーバ２から広告コンテンツ１０を取得し、広告枠１８に表示する。
【００２９】
なお、Ｗｅｂページ１２、並びに、広告枠１８の中の広告コンテンツ１０のそれぞれのレイアウトは、スタイルシートによって予め規定されている。Ｗｅｂページ１２のスタイルシートは、文書データとともにＷｅｂページ１２に含まれるデータであり、メインコンテンツ１４、及び広告枠１８の位置や大きさ、装飾などを規定する。また、広告コンテンツ１０のスタイルシートは、広告コンテンツ１０の構成要素の１つとして広告コンテンツ管理サーバ２から配信される。
広告枠１８の中の広告コンテンツ１０のみに有効なスタイルシートをＷｅｂページ１２のスタイルシートとは別に設けることで、Ｗｅｂページ１２のレイアウトの崩れを抑えた表示が可能になる。
【００３０】
本実施形態において、Ｗｅｂページ１２に表示される広告コンテンツ１０のそれぞれは、デジタルブックのコンテンツデータであるブック型広告２０によって構成されている。
【００３１】
図３は、ブック型広告２０を模式的に示す図である。
ブック型広告２０は、図３（Ａ）に示すように、ページ単位で表示される複数の広告ページ２１を含み、クライアント装置６に対する閲覧者３の操作に応じて、図３（Ｂ）に示すように広告ページ２１がめくられる上記デジタルブック（デジタル冊子とも呼ばれる）である。
本実施形態のブック型広告２０は、広告ページ２１の１つとして、図３（Ｃ）に示すように、アンケートページ２３を含み、閲覧者３に対してアンケートを実施することが可能になっている。
【００３２】
図４は、広告枠１８の中でのブック型広告２０の表示例を示す拡大図である。
同図に示すように、クライアント装置６では、広告枠１８の中にブック型広告２０とともにコントロールバー２４が表示される。コントロールバー２４には、ページめくり操作のための各種の操作子が配置されており、本実施形態では、係る操作子として、めくりボタン２４Ａ、もどるボタン２４Ｂ、自動めくりボタン２４Ｃ、自動めくり速度設定スライダー２４Ｄ、及び設定ボタン２４Ｅが配置されている。
【００３３】
めくりボタン２４Ａは、ページめくりを指示するボタンであり、もどるボタン２４Ｂは、前のページへの戻りを指示するボタンである。自動めくりボタン２４Ｃは、広告ページ２１をページ順に間欠的（所定時間ごと）に自動でめくる、自動めくり動作を指示するボタンである。自動めくり速度設定スライダー２４Ｄは、自動めくり動作において、各広告ページ２１の表示時間の長短を指定する操作子である。設定ボタン２４Ｅは設定画面２６を呼び出すボタンである。
なお、コントロールバー２４は、ブック型広告２０の視認性を高めるために、通常時は表示されておらず、ブック型広告２０に対する閲覧者３の所定操作によって表示される。
【００３４】
図５は設定画面２６の一例を示す図である。
設定画面２６は、ブック型広告２０の表示、及び、ページめくり動作の挙動を設定するための画面であり、ページ表示設定２６Ａ、及びめくり方向設定２６Ｂを含む。
【００３５】
ページ表示設定２６Ａは、広告枠１８におけるブック型広告２０の表示形式を設定する。このページ表示設定２６Ａには、ページ単位表示２６Ａ１、見開き表示２６Ａ２、スクロール表示２６Ａ３の３つの表示形式が択一的に選択可能に表示される。ページ単位表示２６Ａ１は、ブック型広告２０の各広告ページ２１を１ページずつ広告枠１８内で表示する表示形式である。見開き表示２６Ａ２は、ブック型広告２０の連続する２ページ分の広告ページ２１を広告枠１８内で表示する表示形式である。また、スクロール表示２６Ａ３は、ブック型広告２０の各広告ページ２１をページ順に帯状に連結し、広告枠１８内で各広告ページ２１を１ページずつスライド移動させて表示する表示形式である。
ブック型広告２０は、このページ表示設定２６Ａで選択されている表示形式で広告枠１８に各広告ページ２１を表示する。
【００３６】
めくり方向設定２６Ｂは、ブック型広告２０の広告ページ２１のめくり方向を設定する。めくり方向設定２６Ｂには、右綴じめくり２６Ｂ１、左綴じめくり２６Ｂ２、上綴じめくり２６Ｂ３、下綴じめくり２６Ｂ４の３つのめくり方向が択一的に選択可能に表示される。
【００３７】
右綴じめくり２６Ｂ１は、広告ページ２１を右方向に開くことを指定するものであり、右綴じめくり２６Ｂ１が指定されると、ブック型広告２０は、表紙を表にした場合に右側が綴じられた体裁で表示される。これとは逆に、左綴じめくり２６Ｂ２は、広告ページ２１を左方向に開くことを指定するものであり、左綴じめくり２６Ｂ２が指定されると、ブック型広告２０は、表紙を表にした場合に左側が綴じられた体裁で表示される。
また上綴じめくり２６Ｂ３は、広告ページ２１を上方向に開くことを指定するものであり、上綴じめくり２６Ｂ３が指定されると、ブック型広告２０は、表紙を表にした場合に上側が綴じられた体裁で表示される。これとは逆に、下綴じめくり２６Ｂ４は、広告ページ２１を下方向に開くことを指定するものであり、下綴じめくり２６Ｂ４が指定されると、ブック型広告２０は、表紙を表にした場合に下側が綴じられた体裁で表示される。
【００３８】
図６は、ブック型広告２０である広告コンテンツ１０のデータ構成を模式的に示す図である。
同図に示すように、広告コンテンツ１０は、広告ブックデータ３０と、スクリプトコレクション３２と、付加情報３４を含む。
広告ブックデータ３０は、ブック型広告２０を構成する各広告ページ２１のデータの集合である。
スクリプトコレクション３２は、複数のスクリプトデータの集合である。スクリプトデータは、クライアント装置６のＷｅｂブラウザ実行部１６が実行可能なコンピュータプログラムであり、例えばJavaScript(登録商標)などのスクリプト言語によって記述されている。スクリプトコレクション３２が各種の機能を実現するスクリプトデータを含むことで、これら各種の機能をブック型広告２０が提供可能になる。
【００３９】
本実施形態では、スクリプトコレクション３２は、スクリプトデータとして、表示形式制御スクリプト３２Ａと、めくり制御スクリプト３２Ｂと、アンケートスクリプト３２Ｃと、広告効果計測スクリプト３２Ｄと、含んでいる。
【００４０】
表示形式制御スクリプト３２Ａは、ブック型広告２０の表示形式を制御するスクリプトデータであり、Ｗｅｂブラウザ実行部１６に、広告ブックデータ３０の各広告ページ２１をページ表示設定２６Ａの設定に合わせて広告枠１８の中に表示させるプログラムである。
めくり制御スクリプト３２Ｂは、ブック型広告２０のめくり動作を制御するスクリプトデータであり、Ｗｅｂブラウザ実行部１６に、めくりボタン２４Ａ等の操作と、めくり方向設定２６Ｂに設定されているめくり方向とに基づいて、広告枠１８の中で広告ページ２１をめくって表示させるプログラムである。また、めくり制御スクリプト３２Ｂは、広告ページ２１のめくり表示の際、広告ページ２１がめくられる動作を模した表示演出をＷｅｂブラウザ実行部１６に行わせる。
【００４１】
アンケートスクリプト３２Ｃは、Ｗｅｂブラウザ実行部１６に、アンケートページ２３に基づき閲覧者３にアンケートを実施し、当該アンケートの回答結果をアンケート集計装置に送信させるプログラムである。アンケート集計装置は、複数のクライアント装置６から回答結果を収集し、集計するサーバ装置である。アンケートスクリプト３２Ｃには、通信ネットワーク８におけるアンケート集計装置のアドレスを示す回答先情報３２Ｃ１が含まれている。
なお、アンケートスクリプト３２Ｃは、例えばクライアント装置６やブラウザ、閲覧者３に関する各種の情報を回答結果とともにＷｅｂブラウザ実行部１６に送信させてもよい。
【００４２】
広告効果計測スクリプト３２Ｄは、Ｗｅｂブラウザ実行部１６に、ブック型広告２０の広告効果を計測させ広告効果集計装置に送信させるプログラムであり、広告効果を示すファクターとして、閲覧ページ数、及び閲覧時間をＷｅｂブラウザ実行部１６に計測させる。閲覧ページ数は、閲覧者３がブック型広告２０をめくったページ数である。閲覧時間は、閲覧者３がブック型広告２０を閲覧した時間であり、本実施形態では、例えばカーソルアイコンやタッチ操作などによってブック型広告２０が選択されている時間が閲覧時間として計測される。広告効果集計装置は、複数のクライアント装置６から広告効果を収集し、集計するサーバ装置である。アンケートスクリプト３２Ｃには、通信ネットワーク８における広告効果収集装置のアドレスを示す送信先情報３２Ｄ１が含まれている。
【００４３】
付加情報３４は、広告コンテンツ１０の管理などの各種の目的で付加される情報である。本実施形態の付加情報３４には、上記広告コンテンツＩＤ３４Ａが含まれている。アンケートの回答結果、及び、広告効果の計測結果の送信時には、この広告コンテンツＩＤ３４Ａも併せて送信される。
【００４４】
本実施形態では、アンケート集計装置、及び広告効果集計装置の機能が広告コンテンツ管理サーバ２に設けられており、当該広告コンテンツ管理サーバ２がアンケート、及び広告効果の集計を実施している。
【００４５】
図７は、広告コンテンツ管理サーバ２の機能的構成を示すブロック図である。
同図に示すように、広告コンテンツ管理サーバ２は、広告コンテンツ生成部４０と、広告コンテンツ作成サービス提供部４２と、広告コンテンツ記憶部４４と、参照情報生成部４５と、管理データベース４６と、クライアント配信部４８と、アンケート集計部５０と、広告効果集計部５２と、を備える。
【００４６】
広告コンテンツ生成部４０は、上記ブック型広告２０の広告コンテンツ１０を生成するものであり、広告ブックデータ生成部５４と、スクリプト記憶部５６と、付加情報生成部５８と、を備える。
広告ブックデータ生成部５４は、素材データに基づいて上記広告ブックデータ３０を生成する。素材データは、ブック型広告２０の各広告ページ２１に掲載する広告内容を含むデータであり、素材データには、各種形式の画像データや文書データが用いられる。
また、広告ブックデータ生成部５４は、後述する広告コンテンツ作成サービス提供部４２を通じて広告作成者からアスペクト比（高さＴと横Ｗとの比率：図３（Ａ））の指定を受け付けた場合、当該アスペクト比でブック型広告２０を生成する。これにより、広告枠１８のアスペクト比に合わせたブック型広告２０が生成される。
【００４７】
スクリプト記憶部５６は、各種のスクリプトデータを予め記憶するものであり、これらのスクリプトデータがブック型広告２０の上記スクリプトコレクション３２に含められる。なお、スクリプトデータは、広告コンテンツ管理サーバ２の運営者によって予め準備されており、スクリプトデータの種類が増えることで、ブック型広告２０が実現可能な機能も豊富になる。
付加情報生成部５８は、ブック型広告２０の上記付加情報３４に付加する各種の情報（上記広告コンテンツＩＤ３４Ａ（図６参照）など）を生成する。
【００４８】
広告コンテンツ作成サービス提供部４２は、広告主等の広告作成者に対し、ブック型広告２０の作成サービスを提供する。具体的には、広告コンテンツ作成サービス提供部４２は、素材入力機能、ページ編集機能、スクリプト選択機能、及び情報付加機能を広告作成者に通信ネットワーク８を介して提供する。
素材入力機能は、広告作成者が自ら準備した素材データを広告コンテンツ生成部４０に入力し、当該広告コンテンツ生成部４０によって広告ページ２１を生成する機能である。ページ編集機能は、広告ページ２１に対し広告作成者が編集を可能にする機能である。スクリプト選択機能は、スクリプトコレクション３２に含めるスクリプトデータを広告作成者が選択可能にする機能である。情報付加機能は、付加情報３４に広告作成者が任意の情報を付加可能にする機能である。
【００４９】
広告コンテンツ記憶部４４は、広告コンテンツ生成部４０が生成した広告コンテンツ１０を格納する記憶装置である。
【００５０】
参照情報生成部４５は、Ｗｅｂページ１２に記述される上記広告コンテンツ参照情報１９を広告コンテンツＩＤ３４Ａ、及び広告コンテンツ管理サーバ２のアドレス情報などに基づいて生成する。この広告コンテンツ参照情報１９は、Ｗｅｂサイトのサイト運営者に任意の手段で通知され、Ｗｅｂページ１２の文書データに記述される。
【００５１】
管理データベース４６は、広告コンテンツ１０に関する各種情報を管理するデータベースであり、本実施形態では、広告コンテンツＩＤ３４Ａごとに、広告コンテンツ参照情報１９が対応付けられている。なお、広告主に関する情報や課金情報、広告コンテンツ１０が表示されるＷｅｂサイトに関する情報などの情報を管理データベース４６に記録してもよい。
クライアント配信部４８は、クライアント装置６の要求に応じて、当該クライアント装置６に通信ネットワーク８を通じて広告コンテンツ１０を送信する。
【００５２】
アンケート集計部５０は、ブック型広告２０のアンケートページ２３に対する回答結果をクライアント装置６から逐次に受信し、回答結果を集計し、アンケート集計結果を生成する。アンケート集計結果は、広告主に通信ネットワーク８を通じて適宜にタイミングで送信される。なお、管理データベース４６がアンケート集計結果を広告コンテンツＩＤ３４Ａに紐付けて管理してもよい。
【００５３】
広告効果集計部５２は、ブック型広告２０の広告効果の計測結果をクライアント装置６から逐次に受信し、計測結果を集計し、広告効果集計結果を生成する。広告効果集計結果は、アンケート集計結果と同様に、広告主に通信ネットワーク８を通じて適宜にタイミングで送信される。
なお、管理データベース４６が広告効果集計結果を広告コンテンツＩＤ３４Ａに紐付けて管理してもよい。
また、広告効果集計部５２が、広告効果集計結果と、ブック型広告２０の各広告ページ２１との相関を求め、広告内容やページデザインなどの違いによる広告効果を分析してもよい。この分析結果に基づき、広告作成者は、より高い広告効果を有したブック型広告２０を作成できる。
【００５４】
なお、図７は、本願発明の理解を容易にするために、広告コンテンツ管理サーバ２の機能構成を主な処理内容に応じて分類して示した概略図であり、広告コンテンツ管理サーバ２の機能的構成は、処理内容に応じて、さらに多くの構成要素に分類することもできる。また、１つの構成要素がさらに多くの処理を実行するように分類することもできる。また、各構成要素の処理は１台のサーバ装置で実行されてもよいし、複数のサーバ装置で実行されてもよい。
【００５５】
さらに、広告コンテンツ管理サーバ２は、各種のプログラムを実行する情報処理プロセッサ（ＣＰＵやＭＰＵなど）を備え、図７の各機能部は、所定プログラムを情報処理プロセッサが実行することで実現される。この所定プログラムは１つのプログラムで実現されてもよいし、複数のプログラムで実現されてもよい。
【００５６】
図８は、広告システム１の動作説明図である。
広告主等の広告作成者は、ブック型広告２０の広告コンテンツ１０を作成する場合、通信ネットワーク８を介して広告コンテンツ管理サーバ２にコンピュータを使ってアクセスし、広告コンテンツ作成サービス提供部４２の機能を利用して広告コンテンツ１０を作成する。広告コンテンツ管理サーバ２は、広告作成者の操作にしたがって広告コンテンツ１０を作成すると（ステップＳａ１）、広告コンテンツ１０を広告コンテンツ記憶部４４に格納し（ステップＳａ２）、また広告コンテンツ参照情報１９を生成し（ステップＳａ３）、広告コンテンツ参照情報１９等の各種情報を管理データベース４６に登録する（ステップＳａ４）。
【００５７】
その後、広告コンテンツ管理サーバ２は、広告コンテンツ参照情報１９の送信要求をＷｅｂサイトサーバ４から受けると（ステップＳａ５）、当該広告コンテンツ参照情報１９をＷｅｂサイトサーバ４に送信する（ステップＳａ６）。そして、Ｗｅｂサイトサーバ４では、広告コンテンツ参照情報１９が記述されたＷｅｂページ１２が生成される（ステップＳａ７）。
【００５８】
Ｗｅｂサイトサーバ４は、Ｗｅｂページ１２の送信要求をクライアント装置６から受けると（ステップＳａ８）、そのＷｅｂページ１２をクライアント装置６に送信する（ステップＳａ９）。クライアント装置６は、Ｗｅｂページ１２を受信すると、このＷｅｂページ１２に記述されている広告コンテンツ参照情報１９に基づいて、広告コンテンツ管理サーバ２に対し広告コンテンツ１０の配信を要求する（ステップＳａ１０）。広告コンテンツ管理サーバ２は、この配信の要求を受けて、広告コンテンツ１０をクライアント装置６に配信する（ステップＳａ１１）。クライアント装置６は、広告コンテンツ１０を受信すると、この広告コンテンツ１０をＷｅｂページ１２の広告枠１８の中に表示する（ステップＳａ１２）。
【００５９】
図９は、Ｗｅｂページ１２の表示例を示す図である。
クライアント装置６において、表示部１４のブラウザ画面１４Ａには、メインコンテンツ１４、及び複数の広告枠１８を含むＷｅｂページ１２が表示され、広告枠１８のそれぞれの中には、広告コンテンツ１０であるブック型広告２０が表示される。初期状態では、各ブック型広告２０は閉じた状態で表示され、ブック型広告２０の表紙が表示される。なお、広告枠１８の枠線は不可視（透明）であってもよい。
【００６０】
クライアント装置６のユーザたる閲覧者３が、図１０に示すように、カーソルアイコン２５をブック型広告２０、或いは広告枠１８の中に合わせると（表示部１４がタッチパネルである場合はブック型広告２０や広告枠１８のタッチ操作でもよい）、ブック型広告２０のスクリプトデータがＷｅｂブラウザ実行部１６によって実行され、コントロールバー２４が広告枠１８の中に表示される。そして、閲覧者３がコントロールバー２４の各種の操作子（例えばめくりボタン２４Ａなど）をカーソルアイコン２５によって操作すると、クライアント装置６が、めくり制御スクリプト３２Ｂを実行することで、この操作に応じて、広告枠１８の中でブック型広告２０が１ページずつめくられて表示される。
なお、図１０には、上綴じめくり２６Ｂ３が閲覧者３によって指定され、ブック型広告２０の広告ページ２１が上方向にめくられる様子が描かれている。
【００６１】
閲覧者３が、他のブック型広告２０、或いは他の広告枠１８の中にカーソルアイコン２５を合わせると、図１１に示すように、カーソルアイコン２５が合わせられた広告枠１８の中に、コントロールバー２４が表示され、ブック型広告２０の広告ページ２１をめくることが可能になる。このとき、先に閲覧されていたブック型広告２０は、最後に閲覧された広告ページ２１を開いた状態で表示が継続される。
これにより、閲覧者は、先に閲覧していたブック型広告２０を再び閲覧する場合でも、続きの広告ページ２１から閲覧できる。また、Ｗｅｂページ１２のブック型広告２０のそれぞれは、最後に閲覧された広告ページ２１が開いた状態で表示が継続されるので、閲覧者３は、各ブック型広告２０に対して所望の広告ページ２１を開き、それぞれの広告ページ２１の広告内容を比較検討する、といった使い方もできる。この使い方は、例えば、複数のメーカーの各々の製品のブック型広告２０がＷｅｂページ１２に表示されている場合に、閲覧者３が、それぞれの製品を比較するときに有用である。
【００６２】
クライアント装置６は、カーソルアイコン２５がブック型広告２０、或いは広告枠１８に合っている間（閲覧者３がタッチ操作している間でもよい）、広告効果計測スクリプト３２Ｄを実行することで広告効果を逐次に計測し、所定のタイミングで、前掲図８に示すように、計測結果を広告コンテンツ管理サーバ２に送信する（ステップＳａ１３）。この所定のタイミングは、例えば閲覧者３がカーソルアイコン２５を広告枠１８の外に移動させたり、広告枠１８の外をタッチ操作したりしてブック型広告２０が非選択状態になったとき等である。
【００６３】
広告コンテンツ管理サーバ２は、広告効果の計測結果をクライアント装置６から受信すると、計測結果を集計する（ステップＳａ１４）。これにより、閲覧者３が閲覧したページ数や閲覧時間がブック型広告２０ごとに集計され、広告主などに送信される。広告主は、この集計結果に基づいて、ブック型広告２０の閲覧状況を把握し、広告効果を推し量ることができる。
【００６４】
また、クライアント装置６は、ブック型広告２０のアンケートページ２３に対して閲覧者３が回答した場合、回答結果を広告コンテンツ管理サーバ２に送信する（ステップＳａ１５）。広告コンテンツ管理サーバ２は、アンケートの回答結果をクライアント装置６から受信すると、回答結果を集計する（ステップＳａ１６）。この集計結果は、広告コンテンツ管理サーバ２から広告主に適宜のタイミングで送信され、これにより、広告主は、広告コンテンツ１０を通じてアンケートを実施し、また、そのアンケート結果を取得できる。
【００６５】
なお、上記図８のチャートの処理単位は、動作説明の理解を容易にするために、主な処理内容に応じて分割したものである。処理単位の分割の仕方や名称によって、本願発明が制限されることはない。また、同様の動作が実施されれば、処理単位の順序も、図示した例に限られるものではない。
【００６６】
本実施形態によれば、次のような効果を奏する。
【００６７】
本実施形態の広告システム１において、Ｗｅｂページ１２は、複数の広告枠１８を含み、クライアント装置６では、それぞれの広告枠１８の中に広告コンテンツ１０が表示される。
そして、それぞれの広告コンテンツ１０には、ページ単位で表示される複数の広告ページ２１を含み、クライアント装置６に対する閲覧者３の操作にしたがって広告枠１８の中で広告ページ２１がめくられるコンテンツが用いられている。
これにより、広告枠１８の中で複数の広告ページ２１を表示できるので、他のＷｅｂページへ遷移させたりせずとも、多くの広告内容を閲覧者３に伝えることができる。したがって、Ｗｅｂページの遷移により他の広告コンテンツ１０の閲覧の機会が損なわれることもなく、その広告枠１８の価値に見合った広告効果を期待できるようになる。
これに加えて、広告ページ２１は、クライアント装置６に対する閲覧者３の操作にしたがってめくられるので、閲覧者３は、それぞれの広告ページ２１を十分に把握するまで閲覧できる。
【００６８】
本実施形態において、広告コンテンツ１０のそれぞれは、閲覧者３の操作の後、広告ページ２１がめくられた状態で表示が継続される。
これにより、閲覧者３は、それぞれの広告コンテンツ１０を操作して、所望の広告ページ２１を各広告コンテンツ１０で表示し、これらの広告ページ２１を対比検討する、といった使い方ができる。
【００６９】
本実施形態において、広告コンテンツ１０は、アンケートを実施するアンケートページ２３を含み、アンケートに対する回答結果を広告コンテンツ管理サーバ２へクライアント装置６に送信させるアンケートスクリプト３２Ｃを含む。
これにより、広告主は、閲覧者３に対して簡単にアンケートを実施し、回答結果を得ることができる。
【００７０】
本実施形態において、広告コンテンツ１０は、クライアント装置６に広告効果を計測させ、計測結果を広告コンテンツ管理サーバ２へ送信させる広告効果計測スクリプト３２Ｄを含む。
これにより、広告主や広告作成者は、広告コンテンツ１０の広告効果を簡単に計測し、収集できる。
【００７１】
本実施形態において、広告コンテンツ１０は、１ページずつ広告ページ２１を広告枠１８の中で表示するページ単位表示、２ページ分の広告ページ２１を広告枠１８の中で表示する見開き表示、及び、複数の広告ページ２１が連結されて広告枠１８の中でスクロールするスクロール表示を閲覧者３の操作に応じてクライアント装置６に切り替えさせる表示形式制御スクリプト３２Ａを含む。
これにより、閲覧者３は、自身が閲覧し易い表示形式で広告コンテンツ１０を表示し、閲覧できる。
なお、例えば、広告コンテンツ管理サーバ２が表示形式制御スクリプト３２Ａを変更や削除する等して、クライアント装置６が広告コンテンツ１０の表示形式の変更できないようにしてもよい。これにより、広告主や広告作成者は、常に意図した表示形式で広告コンテンツ１０を表示させることもできる。
【００７２】
本実施形態において、広告コンテンツ１０は、クライアント装置６に広告ページ２１のめくり方向を変えさせるめくり制御スクリプト３２Ｂを含む。
これにより、閲覧者３は、広告枠１８や広告コンテンツ１０の形状や配置位置などに応じて、自身が閲覧し易い方向に広告ページ２１をめくることができる。
【００７３】
本実施形態において、広告コンテンツ管理サーバ２が広告コンテンツ生成部４０を備え、この広告コンテンツ生成部４０は、広告ページ２１のアスペクト比が異なる広告コンテンツ１０を生成可能になっている。
これにより、広告作成者は、広告枠１８のアスペクト比に合わせた広告コンテンツ１０を簡単に作成できる。
【００７４】
本実施形態において、クライアント装置６は、広告コンテンツ１０を広告コンテンツ管理サーバ２から通信によって取得し、広告枠１８の中に表示する。
これにより、広告コンテンツ１０の配信のために、Ｗｅｂサイトサーバ４などの他のサーバに広告コンテンツ１０を配布する必要がなく、また広告コンテンツ１０を広告コンテンツ管理サーバ２で一元管理できる。
【００７５】
なお、上述した実施形態は、あくまでも本発明の一態様の例示であり、本発明の主旨を逸脱しない範囲において任意に変形、及び応用が可能である。
【００７６】
（応用例）
本応用例では、閲覧者３がブック型広告２０である広告コンテンツ１０を保存可能とする広告システム１００を説明する。
図１２は、本応用例に係る広告システム１００の構成図である。なお、同図において、上述した実施形態で説明した構成については、同一の符号を付し、その説明を省略する。
同図に示すように、この広告システム１００は、クラウドストレージサーバ１０９を備えている。クラウドストレージサーバ１０９は、通信ネットワーク８を介して、クライアント装置６の閲覧者３に対し、クラウドストレージサービスを提供するサーバ装置である。クラウドストレージサービスは、サーバ装置のディスクスペース（記憶領域）を閲覧者３に割り当て、割当領域の範囲内で、閲覧者３が通信ネットワーク８を介して各種データをサーバ装置に保存できるようにしたオンラインサービスである。
【００７７】
本応用例では、クラウドストレージサーバ１０９には、クライアント装置６において表示された広告コンテンツ１０（ブック型広告２０）が閲覧者３の操作にしたがって保存される。すなわち、クライアント装置６に対し、ユーザたる閲覧者３が所定操作を行うと、クライアント装置６のＷｅｂブラウザ実行部１６がクラウドストレージサーバ１０９に、閲覧者３によって指示された広告コンテンツ１０を送信し、これをクラウドストレージサーバ１０９が閲覧者３の割当領域に保存する。
【００７８】
また、クラウドストレージサーバ１０９は、広告コンテンツ１０の保存用のＷｅｂページであるブック型広告コレクションページ１６２を備えている。
【００７９】
図１３は、ブック型広告コレクションページ１６２の一例を示す図である。
同図に示すように、ブック型広告コレクションページ１６２には、閲覧者３が保存した広告コンテンツ１０（ブック型広告２０）が、ジャンル別に並べて表示される。広告コンテンツ１０のジャンル分けは、閲覧者３によって手動で行われる。なお、広告コンテンツ管理サーバ１０２がジャンルに関するタグ情報を広告コンテンツ１０の付加情報３４に予め格納し、クラウドストレージサーバ１０９が、このタグ情報に基づいてジャンル分けしてもよい。
【００８０】
閲覧者３がクラウドストレージサーバ１０９の広告コンテンツ１０を閲覧するときは、ブック型広告コレクションページ１６２にクライアント装置６からアクセスし、所望の広告コンテンツ１０を選択する。選択された広告コンテンツ１０は、クラウドストレージサーバ１０９からクライアント装置６に送信され、クライアント装置６で広告コンテンツ１０が表示される。
【００８１】
これにより、閲覧者３は、所望の広告コンテンツ１０を多数のＷｅｂページ１２から収集し、クラウドストレージサーバ１０９に保存し、好きなときに広告コンテンツ１０を閲覧できるようになる。
【００８２】
また、本応用例において、広告コンテンツ１０には、閲覧者３に閲覧を許可する期限（以下、「閲覧期限」と言う）が設定されており、係る閲覧期限が、広告コンテンツ１０の付加情報３４に格納され、また、広告コンテンツ管理サーバ１０２の管理データベース４６に登録されている。この閲覧期限は、ブック型広告コレクションページ１６２に広告コンテンツ１０ごとに表示され、閲覧者３に通知されるようになっている。
【００８３】
そして、閲覧期限が到来した広告コンテンツ１０を閲覧不能にするために、広告システム１００は、当該広告コンテンツ１０をクラウドストレージサーバ１０９から削除する削除手段を備え、この削除手段が広告コンテンツ管理サーバ１０２に設けられている。
具体的には、広告コンテンツ管理サーバ１０２は、図１２に示すように、削除手段として、配信コンテンツ削除指令部１６０を備えている。
【００８４】
配信コンテンツ削除指令部１６０は、管理データベース４６を参照して、閲覧期限が到来した広告コンテンツ１０の広告コンテンツＩＤ３４Ａを特定し、この広告コンテンツＩＤ３４Ａの広告コンテンツ１０のデータ消去をクラウドストレージサーバ１０９に通信ネットワーク８を介して送信する。これにより、配信コンテンツ削除指令部１６０から当該クラウドストレージサーバ１０９へ広告コンテンツ１０の削除が指示される。クラウドストレージサーバ１０９は、係る要求を受信すると、指示された広告コンテンツＩＤ３４Ａの広告コンテンツ１０のデータを削除する。この結果、閲覧期限が到来した広告コンテンツ１０が閲覧不能となる。
これにより、広告主や広告作成者は広告コンテンツ１０に閲覧期限を所望の設定することで、当該広告コンテンツ１０が自由に頒布される期間を制御できる。
【００８５】
なお、本応用例において、クラウドストレージサーバ１０９は、保存対象の広告コンテンツ１０をクライアント装置６から受信する構成を例示したが、当該広告コンテンツ１０を広告コンテンツ管理サーバ１０２から取得してもよい。
【００８６】
本応用例によれば、次のような効果を奏する。
【００８７】
本応用例の広告システム１００は、クライアント装置６に対する閲覧者３の操作にしたがって、クライアント装置６に表示されている広告コンテンツ１０を保存するクラウドストレージサーバ１０９を備え、クラウドストレージサーバ１０９は、クライアント装置６の要求に応じて広告コンテンツ１０をクライアント装置６に送信し、クライアント装置６が広告コンテンツ１０を表示可能にしている。
これにより、閲覧者３は、所望の広告コンテンツ１０を多数のＷｅｂページ１２から収集し、クラウドストレージサーバ１０９に保存し、好きなときに広告コンテンツ１０を閲覧できる。
【００８８】
本応用例の広告システム１００は、クラウドストレージサーバ１０９に通信ネットワーク８を通じた通信により指令を与え、クラウドストレージサーバ１０９に保存されている広告コンテンツ１０を削除させる削除手段としての配信コンテンツ削除指令部１６０を備える。
これにより、広告主や広告作成者は広告コンテンツ１０に閲覧期限を所望の設定することで、当該広告コンテンツ１０が自由に頒布される期間を制御できる。
【００８９】
（変形例）
上述した実施形態において、広告効果の計測として、閲覧ページ数、及び閲覧時間の計測を例示したが、これに限らない。
例えば、広告ページ２１において、閲覧者３が注目した注目箇所を、カーソルアイコン２５やタッチ操作の位置に基づいて検出し、集計してもよい。広告主や広告作成者は、意図した箇所が閲覧者に注目されたか否かを、広告ページ２１における注目箇所の集計結果に基づいて把握できる。
【００９０】
上述した実施形態において、ブック型広告２０は、各図に示した表示例に限定されるものではない。
【００９１】
上述した実施形態において、クライアント装置６に対するユーザの操作として、カーソルアイコン２３による操作やタッチ操作を例示したが、これに限らない。
例えば音声入力操作であってもよい。また例えばクライアント装置６がカメラを備える場合には、カメラに対するユーザのジェスチャー（手をかざすなど）を操作入力としてもよい。また例えばクライアント装置６が傾きセンサや加速度センサなどを備える可搬型の情報端末である場合には、ユーザがクライアント装置６を傾ける操作を操作入力としてもよい。
【００９２】
上述した実施形態、及び応用例において、広告コンテンツ管理サーバ２、１０２、Ｗｅｂサイトサーバ４、及びクラウドストレージサーバ１０９は、それぞれ異なるサーバ装置によって構成されていなくともよく、１以上の適宜の数のサーバ装置で構成されればよい。
【符号の説明】
【００９３】
１、１００  広告システム
２、１０２  広告コンテンツ管理サーバ
３  閲覧者  （ユーザ）
４  Ｗｅｂサイトサーバ（サーバ装置）
６  クライアント装置
８  通信ネットワーク
１０  広告コンテンツ
１２  Ｗｅｂページ
１８  広告枠
２０  ブック型広告
２１  広告ページ
２３  アンケートページ
２４  コントロールバー
２５  カーソルアイコン
２６Ａ１  ページ単位表示
２６Ａ２  見開き表示
２６Ａ３  スクロール表示
２６Ｂ  めくり方向設定
３２Ａ  表示形式制御スクリプト（プログラム）
３２Ｂ  めくり制御スクリプト（プログラム）
３２Ｃ  アンケートスクリプト（プログラム）
３２Ｄ  広告効果計測スクリプト（プログラム）
４０  広告コンテンツ生成部（広告コンテンツ生成手段）
５０  アンケート集計部
５２  広告効果集計部
１０９  クラウドストレージサーバ（保存サーバ）
１６０  配信コンテンツ削除指令部（削除手段）
【図１】
2019028548.tif 000003
【図２】
2019028548.tif 000004
【図３】
2019028548.tif 000005
【図４】
2019028548.tif 000006
【図５】
2019028548.tif 000007
【図６】
2019028548.tif 000008
【図７】
2019028548.tif 000009
【図８】
2019028548.tif 000010
【図９】
2019028548.tif 000011
【図１０】
2019028548.tif 000012
【図１１】
2019028548.tif 000013
【図１２】
2019028548.tif 000014
【図１３】
2019028548.tif 000015
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
メインコンテンツを表示するメイン表示領域を含むＷｅｂページを送信するサーバ装置と、
前記サーバ装置から受信した前記Ｗｅｂページを表示するクライアント装置と、を備え、
前記Ｗｅｂページは、メイン表示領域の他に、広告主ごとに割り当てられる複数の広告枠を含み、それぞれの前記広告枠の中に、当該広告枠に割り当てられた広告主の広告コンテンツが表示され、
前記広告コンテンツのそれぞれは、ページ単位で表示され、前記広告主の広告内容を表示する複数の広告ページを含むデジタルブックのコンテンツであり、
前記クライアント装置に対するユーザの操作にしたがって、前記広告コンテンツのそれぞれが、個々に独立して前記広告枠の中で広告ページがめくられる
ことを特徴とする広告システム。
【請求項２】
前記広告主に対して前記広告コンテンツの生成機能を提供する広告コンテンツ作成サービス提供部と、
前記広告コンテンツを記憶する広告コンテンツ記憶部と、
を有する広告コンテンツ管理サーバを備え、
前記サーバ装置は、
前記Ｗｅｂページを前記クライアント装置に送信する場合、前記広告枠に表示する前記広告コンテンツを前記広告コンテンツ管理サーバから取得するための広告コンテンツ参照情報を前記クライアント装置に送信し、
前記クライアント装置は、
前記広告コンテンツ参照情報に基づいて前記広告コンテンツを前記広告コンテンツ管理サーバから取得し、前記サーバ装置から受信した前記Ｗｅｂページの前記広告枠の中に表示する
ことを特徴とする請求項１に記載の広告システム。
【請求項３】
前記クライアント装置に対するユーザの操作にしたがって、前記クライアント装置に表示されている前記広告コンテンツを前記クライアント装置、又は前記広告コンテンツ管理サーバから取得し、前記ユーザの割当領域に保存する保存サーバを備え、
前記保存サーバは、
前記クライアント装置の要求に応じて、前記ユーザの割当領域に保存されている前記広告コンテンツを前記クライアント装置に送信し、前記クライアント装置が前記広告コンテンツを表示可能にする
ことを特徴とする請求項２に記載の広告システム。
【請求項４】
前記広告コンテンツ管理サーバは、
前記保存サーバに通信により指令を与え、前記保存サーバに前記広告コンテンツを削除させる削除司令部を備える
ことを特徴とする請求項３に記載の広告システム。
【請求項５】
前記広告コンテンツ作成サービス提供部は、
前記広告ページのアスペクト比が異なる広告コンテンツを生成可能である
ことを特徴とする請求項２に記載の広告システム。
【請求項６】
前記広告コンテンツは、
アンケートを実施するアンケートページを含み、
前記アンケートに対する回答結果をアンケート集計装置へ前記クライアント装置に送信させるプログラムを含むコンテンツである
ことを特徴とする請求項１〜５のいずれかに記載の広告システム。
【請求項７】
前記広告コンテンツは、
前記クライアント装置に広告効果を示すファクターである閲覧ページ数を計測させ、計測結果を広告効果集計装置へ送信させるプログラムを含むコンテンツである
ことを特徴とする請求項１〜６のいずれかに記載の広告システム。
【請求項８】
前記広告コンテンツは、
１ページずつ前記広告ページを前記広告枠の中で表示するページ単位表示、
２ページ分の前記広告ページを前記広告枠の中で表示する見開き表示、及び
複数の前記広告ページが連結されて前記広告枠の中でスクロールするスクロール表示を、ユーザの操作に応じて前記クライアント装置に切り替えさせるプログラムを含むコンテンツである
ことを特徴とする請求項１〜７のいずれかに記載の広告システム。
【請求項９】
前記広告コンテンツは、
前記クライアント装置に前記広告ページのめくり方向を変えさせるプログラムを含むコンテンツである、
ことを特徴とする請求項１〜８のいずれかに記載の広告システム。
【請求項１０】
メインコンテンツを表示するメイン表示領域と、広告主ごとに割り当てられる複数の広告枠とを含み、それぞれの前記広告枠の中に、当該広告枠に割り当てられた広告主の広告コンテンツが表示されるＷｅｂページを、当該Ｗｅｂページを表示するクライアント装置へ送信するサーバ装置であって、
前記広告コンテンツのそれぞれは、ページ単位で表示され、前記広告主の広告内容を表示する複数の広告ページを含むデジタルブックのコンテンツであり、
前記クライアント装置に対するユーザの操作にしたがって、前記広告コンテンツのそれぞれが、個々に独立して前記広告枠の中で広告ページがめくられる
ことを特徴とするサーバ装置。
【請求項１１】
メインコンテンツを表示するメイン表示領域と、広告主ごとに割り当てられる複数の広告枠とを含み、それぞれの前記広告枠の中に、当該広告枠に割り当てられた広告主の広告コンテンツが表示されるＷｅｂページをクライアント装置へサーバ装置が送信し、
前記クライアント装置が前記Ｗｅｂページを表示する広告方法であって、
前記広告コンテンツのそれぞれは、
ページ単位で表示され、前記広告主の広告内容を表示する複数の広告ページを含むデジタルブックのコンテンツであり、前記クライアント装置に対するユーザの操作にしたがって、前記広告コンテンツのそれぞれが、個々に独立して前記広告枠の中で広告ページがめくられる
ことを特徴とする広告方法。
【手続補正２】
【補正対象書類名】明細書
【補正対象項目名】０００８
【補正方法】変更
【補正の内容】
【０００８】
本発明は、メインコンテンツを表示するメイン表示領域を含むＷｅｂページを送信するサーバ装置と、前記サーバ装置から受信した前記Ｗｅｂページを表示するクライアント装置と、を備え、前記Ｗｅｂページは、メイン表示領域の他に、広告主ごとに割り当てられる複数の広告枠を含み、それぞれの前記広告枠の中に、当該広告枠に割り当てられた広告主の広告コンテンツが表示され、前記広告コンテンツのそれぞれは、ページ単位で表示され、前記広告主の広告内容を表示する複数の広告ページを含むデジタルブックのコンテンツであり、前記クライアント装置に対するユーザの操作にしたがって、前記広告コンテンツのそれぞれが、個々に独立して前記広告枠の中で広告ページがめくられることを特徴とする。
本発明は、上記広告システムにおいて、前記広告主に対して前記広告コンテンツの生成機能を提供する広告コンテンツ作成サービス提供部と、前記広告コンテンツを記憶する広告コンテンツ記憶部と、を有する広告コンテンツ管理サーバを備え、前記サーバ装置は、前記Ｗｅｂページを前記クライアント装置に送信する場合、前記広告枠に表示する前記広告コンテンツを前記広告コンテンツ管理サーバから取得するための広告コンテンツ参照情報を前記クライアント装置に送信し、前記クライアント装置は、前記広告コンテンツ参照情報に基づいて前記広告コンテンツを前記広告コンテンツ管理サーバから取得し、前記サーバ装置から受信した前記Ｗｅｂページの前記広告枠の中に表示することを特徴とする。
本発明は、上記広告システムにおいて、前記クライアント装置に対するユーザの操作にしたがって、前記クライアント装置に表示されている前記広告コンテンツを前記クライアント装置、又は前記広告コンテンツ管理サーバから取得し、前記ユーザの割当領域に保存する保存サーバを備え、前記保存サーバは、前記クライアント装置の要求に応じて、前記ユーザの割当領域に保存されている前記広告コンテンツを前記クライアント装置に送信し、前記クライアント装置が前記広告コンテンツを表示可能にすることを特徴とする。
本発明は、上記広告システムにおいて、前記広告コンテンツ管理サーバは、前記保存サーバに通信により指令を与え、前記保存サーバに前記広告コンテンツを削除させる削除司令部を備えることを特徴とする。
本発明は、上記広告システムにおいて、前記広告コンテンツ作成サービス提供部は、前記ページのアスペクト比が異なる広告コンテンツを生成可能であることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１１
【補正方法】変更
【補正の内容】
【００１１】
本発明は、上記広告システムにおいて、前記広告コンテンツは、前記クライアント装置に広告効果を示すファクターである閲覧ページ数を計測させ、計測結果を広告効果集計装置へ送信させるプログラムを含むコンテンツであることを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
本発明は、メインコンテンツを表示するメイン表示領域と、広告主ごとに割り当てられる複数の広告枠とを含み、それぞれの前記広告枠の中に、当該広告枠に割り当てられた広告主の広告コンテンツが表示されるＷｅｂページを、当該Ｗｅｂページを表示するクライアント装置へ送信するサーバ装置であって、前記広告コンテンツのそれぞれは、ページ単位で表示され、前記広告主の広告内容を表示する複数の広告ページを含むデジタルブックのコンテンツであり、前記クライアント装置に対するユーザの操作にしたがって、前記広告コンテンツのそれぞれが、個々に独立して前記広告枠の中で広告ページがめくられることを特徴とする。
【手続補正１０】
【補正対象書類名】明細書
【補正対象項目名】００１９
【補正方法】変更
【補正の内容】
【００１９】
本発明は、メインコンテンツを表示するメイン表示領域と、広告主ごとに割り当てられる複数の広告枠とを含み、それぞれの前記広告枠の中に、当該広告枠に割り当てられた広告主の広告コンテンツが表示されるＷｅｂページをクライアント装置へサーバ装置が送信し、前記クライアント装置が前記Ｗｅｂページを表示する広告方法であって、前記広告コンテンツのそれぞれは、ページ単位で表示され、前記広告主の広告内容を表示する複数の広告ページを含むデジタルブックのコンテンツであり、前記クライアント装置に対するユーザの操作にしたがって、前記広告コンテンツのそれぞれが、個々に独立して前記広告枠の中で広告ページがめくられることを特徴とする。
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
メインコンテンツを表示するメイン表示領域を含むＷｅｂページを送信するサーバ装置と、
前記サーバ装置から受信した前記Ｗｅｂページを表示するクライアント装置と、
広告コンテンツ管理サーバと、
保存サーバと、を備え、
前記Ｗｅｂページは、メイン表示領域の他に、広告主ごとに割り当てられる複数の広告枠を含み、それぞれの前記広告枠の中に、当該広告枠に割り当てられた広告主の広告コンテンツが表示され、
前記広告コンテンツのそれぞれは、ページ単位で表示され、前記広告主の広告内容を表示する複数の広告ページを含むデジタルブックのコンテンツであり、前記クライアント装置に対するユーザの操作にしたがって、前記広告コンテンツのそれぞれが、個々に独立して前記広告枠の中で広告ページがめくられ、
前記広告コンテンツ管理サーバは、
前記広告主に対して前記広告コンテンツの生成機能を提供する広告コンテンツ作成サービス提供部と、
前記広告コンテンツを記憶する広告コンテンツ記憶部と、
を有し、
前記サーバ装置は、
前記Ｗｅｂページを前記クライアント装置に送信する場合、前記広告枠に表示する前記広告コンテンツを前記広告コンテンツ管理サーバから取得するための広告コンテンツ参照情報を前記クライアント装置に送信し、
前記クライアント装置は、
前記広告コンテンツ参照情報に基づいて前記広告コンテンツを前記広告コンテンツ管理サーバから取得し、前記サーバ装置から受信した前記Ｗｅｂページの前記広告枠の中に表示し、
前記保存サーバは、
前記クライアント装置に対するユーザの操作にしたがって、前記クライアント装置に表示されている前記広告コンテンツを前記クライアント装置、又は前記広告コンテンツ管理サーバから取得し、前記ユーザの割当領域に保存し、
前記クライアント装置の要求に応じて、前記ユーザの割当領域に保存されている前記広告コンテンツを前記クライアント装置に送信し、前記クライアント装置が前記広告コンテンツを表示可能にする
ことを特徴とする広告システム。
【請求項２】
前記広告コンテンツ管理サーバは、
前記保存サーバに通信により指令を与え、前記保存サーバに前記広告コンテンツを削除させる削除司令部を備える
ことを特徴とする請求項１に記載の広告システム。
【請求項３】
前記広告コンテンツ作成サービス提供部は、
前記広告ページのアスペクト比が異なる広告コンテンツを生成可能である
ことを特徴とする請求項１に記載の広告システム。
【請求項４】
前記広告コンテンツは、
アンケートを実施するアンケートページを含み、
前記アンケートに対する回答結果をアンケート集計装置へ前記クライアント装置に送信させるプログラムを含むコンテンツである
ことを特徴とする請求項１から３のいずれかに記載の広告システム。
【請求項５】
前記広告コンテンツは、
前記クライアント装置に広告効果を示すファクターである閲覧ページ数を計測させ、計測結果を広告効果集計装置へ送信させるプログラムを含むコンテンツである
ことを特徴とする請求項１から４のいずれかに記載の広告システム。
【請求項６】
前記広告コンテンツは、
１ページずつ前記広告ページを前記広告枠の中で表示するページ単位表示、
２ページ分の前記広告ページを前記広告枠の中で表示する見開き表示、及び
複数の前記広告ページが連結されて前記広告枠の中でスクロールするスクロール表示を、ユーザの操作に応じて前記クライアント装置に切り替えさせるプログラムを含むコンテンツである
ことを特徴とする請求項１から５のいずれかに記載の広告システム。
【請求項７】
前記広告コンテンツは、
前記クライアント装置に前記広告ページのめくり方向を変えさせるプログラムを含むコンテンツである、
ことを特徴とする請求項１から６のいずれかに記載の広告システム。
【手続補正３】
【補正対象書類名】明細書
【補正対象項目名】０００７
【補正方法】変更
【補正の内容】
【０００７】
本発明は、広告内容を効率良く伝えることができる広告システムを提供することを目的とする。
【手続補正４】
【補正対象書類名】明細書
【補正対象項目名】０００８
【補正方法】変更
【補正の内容】
【０００８】
本発明は、メインコンテンツを表示するメイン表示領域を含むＷｅｂページを送信するサーバ装置と、前記サーバ装置から受信した前記Ｗｅｂページを表示するクライアント装置と、広告コンテンツ管理サーバと、保存サーバと、を備え、前記Ｗｅｂページは、メイン表示領域の他に、広告主ごとに割り当てられる複数の広告枠を含み、それぞれの前記広告枠の中に、当該広告枠に割り当てられた広告主の広告コンテンツが表示され、前記広告コンテンツのそれぞれは、ページ単位で表示され、前記広告主の広告内容を表示する複数の広告ページを含むデジタルブックのコンテンツであり、前記クライアント装置に対するユーザの操作にしたがって、前記広告コンテンツのそれぞれが、個々に独立して前記広告枠の中で広告ページがめくられ、前記広告コンテンツ管理サーバは、前記広告主に対して前記広告コンテンツの生成機能を提供する広告コンテンツ作成サービス提供部と、前記広告コンテンツを記憶する広告コンテンツ記憶部と、を有し、前記サーバ装置は、前記Ｗｅｂページを前記クライアント装置に送信する場合、前記広告枠に表示する前記広告コンテンツを前記広告コンテンツ管理サーバから取得するための広告コンテンツ参照情報を前記クライアント装置に送信し、前記クライアント装置は、前記広告コンテンツ参照情報に基づいて前記広告コンテンツを前記広告コンテンツ管理サーバから取得し、前記サーバ装置から受信した前記Ｗｅｂページの前記広告枠の中に表示し、前記保存サーバは、前記クライアント装置に対するユーザの操作にしたがって、前記クライアント装置に表示されている前記広告コンテンツを前記クライアント装置、又は前記広告コンテンツ管理サーバから取得し、前記ユーザの割当領域に保存し、前記クライアント装置の要求に応じて、前記ユーザの割当領域に保存されている前記広告コンテンツを前記クライアント装置に送信し、前記クライアント装置が前記広告コンテンツを表示可能にすることを特徴とする広告システムを提供する。
本発明は、上記広告システムにおいて、前記広告コンテンツ作成サービス提供部は、前記ページのアスペクト比が異なる広告コンテンツを生成可能であることを特徴とする。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】